【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
撮影した写真を利用してシールを作成するプレイをユーザに提供する写真シール作成装置であって、
抽選を行う抽選手段と、
写真を撮影する撮影手段と、
前記プレイの所定の場面で、ユーザに対して、前記抽選が行われることを通知する抽選実施通知手段と、
前記撮影手段により撮影された写真、及び前記抽選の結果表示を配置し、前記シールに印刷する画像の生成を行う印刷画像生成手段と、
前記印刷画像生成手段により生成された画像を前記シールに印刷し、シール排出口に排出する印刷出力手段とを備える、写真シール作成装置。
【請求項２】
前記写真シール作成装置は、前記抽選手段の動作及び前記抽選実施通知手段の動作を停止させるか否かを切り替える切替手段をさらに備える、請求項１に記載の写真シール作成装置。
【請求項３】
前記抽選実施通知手段は、プレイが開始されてから、ユーザが待機している状況にあるときに、前記抽選が行われることを通知する、請求項１又は２に記載の写真シール作成装置。
【請求項４】
前記抽選実施通知手段は、ユーザに対して抽選案内画面を表示することにより前記抽選が行われることを通知し、
前記抽選案内画面は、前記抽選の結果をシートにプリントされる画像を見て見分けるための方法に関する通知事項を含む、請求項１から３のいずれかに記載の写真シール作成装置。
【請求項５】
撮影した写真を利用してシールを作成するプレイをユーザに提供する写真シール作成装置の制御方法であって、
抽選を行う抽選ステップと、
写真を撮影する撮影ステップと、
前記プレイの所定の場面で、ユーザに対して、前記抽選が行われることを通知する抽選実施通知ステップと、
前記撮影ステップにより撮影された写真、及び前記抽選の結果表示を配置し、前記シールに印刷する画像の生成を行う印刷画像生成ステップと、
前記印刷画像生成ステップにより生成された画像を前記シールに印刷し、シール排出口に排出する印刷出力ステップとを備える、写真シール作成装置の制御方法。
【請求項６】
撮影した写真を利用してシールを作成するプレイをユーザに提供する写真シール作成装置の制御プログラムであって、
抽選を行う抽選ステップと、
写真を撮影する撮影ステップと、
前記プレイの所定の場面で、ユーザに対して、前記抽選が行われることを通知する抽選実施通知ステップと、
前記撮影ステップにより撮影された写真、及び前記抽選の結果表示を配置し、前記シールに印刷する画像の生成を行う印刷画像生成ステップと、
前記印刷画像生成ステップにより生成された画像を前記シールに印刷し、シール排出口に排出する印刷出力ステップとをコンピュータに実行させる、写真シール作成装置の制御プログラム。
【手続補正２】
【補正対象書類名】明細書
【補正対象項目名】００１５
【補正方法】変更
【補正の内容】
【００１５】
上記目的を達成するためこの発明のある局面に従うと、撮影した写真を利用してシールを作成するプレイをユーザに提供する写真シール作成装置は、抽選を行う抽選手段と、写真を撮影する撮影手段と、プレイの所定の場面で、ユーザに対して、抽選が行われることを通知する抽選実施通知手段と、撮影手段により撮影された写真、及び抽選の結果表示を配置し、シールに印刷する画像の生成を行う印刷画像生成手段と、印刷画像生成手段により生成された画像をシールに印刷し、シール排出口に排出する印刷出力手段とを備える。
【手続補正３】
【補正対象書類名】明細書
【補正対象項目名】００１６
【補正方法】変更
【補正の内容】
【００１６】
好ましくは、写真シール作成装置は、抽選手段の動作及び抽選実施通知手段の動作を停止させるか否かを切り替える切替手段をさらに備える。
【手続補正４】
【補正対象書類名】明細書
【補正対象項目名】００１７
【補正方法】変更
【補正の内容】
【００１７】
好ましくは、抽選実施通知手段は、プレイが開始されてから、ユーザが待機している状況にあるときに、抽選が行われることを通知する。
【手続補正５】
【補正対象書類名】明細書
【補正対象項目名】００１８
【補正方法】変更
【補正の内容】
【００１８】
好ましくは、抽選実施通知手段は、ユーザに対して抽選案内画面を表示することにより抽選が行われることを通知し、抽選案内画面は、抽選の結果をシートにプリントされる画像を見て見分けるための方法に関する通知事項を含む。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】変更
【補正の内容】
【００３３】
この発明の他の局面に従うと、撮影した写真を利用してシールを作成するプレイをユーザに提供する写真シール作成装置の制御方法は、抽選を行う抽選ステップと、写真を撮影する撮影ステップと、プレイの所定の場面で、ユーザに対して、抽選が行われることを通知する抽選実施通知ステップと、撮影ステップにより撮影された写真、及び抽選の結果表示を配置し、シールに印刷する画像の生成を行う印刷画像生成ステップと、印刷画像生成ステップにより生成された画像をシールに印刷し、シール排出口に排出する印刷出力ステップとを備える。
【手続補正２１】
【補正対象書類名】明細書
【補正対象項目名】００３４
【補正方法】変更
【補正の内容】
【００３４】
この発明のさらに他の局面に従うと、撮影した写真を利用してシールを作成するプレイをユーザに提供する写真シール作成装置の制御プログラムは、抽選を行う抽選ステップと、写真を撮影する撮影ステップと、プレイの所定の場面で、ユーザに対して、抽選が行われることを通知する抽選実施通知ステップと、撮影ステップにより撮影された写真、及び抽選の結果表示を配置し、シールに印刷する画像の生成を行う印刷画像生成ステップと、印刷画像生成ステップにより生成された画像をシールに印刷し、シール排出口に排出する印刷出力ステップとをコンピュータに実行させる。